(57)【特許請求の範囲】
【請求項１】
内周部に複数のリブが設けられた筒状胴部の外周面に糸が巻回された糸巻を収納する糸巻収納ケースであって、
前記糸巻が当該糸巻収納ケースに収納されたときに、該糸巻の側面部に対向する二つの側壁と、
前記二つの側壁を結合し、前記二つの側壁と協働して略角柱体を構成する二つの側板と、
一端が前記二つの側壁のうち少なくとも一方の側壁の内面に直接的に固定され又は隣接配置され、他端が他方の側壁に向かって延びる糸巻止定部と
を備え、
前記糸巻止定部は、前記糸巻を前記略角柱体の開放端から挿入した場合に該糸巻の挿入が可能となるように折れ曲がり又は湾曲し、該糸巻全体が前記略角柱体に収容された場合に弾性的に復帰して、前記複数のリブのうち隣り合う二つのリブ間に位置すると共に、該二つのリブの各長手方向と交差する方向に配置されるようになっている、ことを特徴とする糸巻収納ケース。
【請求項２】
前記二つの側壁及び二つの側板により構成された前記略角柱体の一方の開放端を閉じるべく、前記二つの側壁のうち一方の側壁の端部に折曲げ可能に連接された蓋板と、
前記略角柱体の内部に差し込まれ、前記二つの側壁のうち他方の側壁に隣接配置されるよう、前記蓋板の自由端に折曲げ可能に連接された差込片と
を備え、
前記糸巻止定部の一端が前記差込片の自由端に折曲げ可能に連接され、前記二つの側壁のうち他方の側壁に隣接配置されるようになっている、ことを特徴とする請求項１記載の糸巻収納ケース。
【請求項３】
前記糸巻止定部は、前記一端部から前記他端部に向かって幅が狭くなるように設けられた、ことを特徴とする請求項１又は２に記載の糸巻収納ケース。
【請求項４】
請求項１〜３のいずれか一項に記載の糸巻収納ケースに、内周部に複数のリブを有する筒状胴部の外周面に糸が巻回された糸巻が収納されて成り、前記糸巻収納ケースの前記糸巻止定部が前記複数のリブのうち隣り合う二つのリブ間に挿入又は挿嵌されたものである、ことを特徴とする糸巻収納体。
【請求項５】
前記糸巻は、釣り糸が巻回されたスプールである、ことを特徴とする請求項４記載の糸巻収納体。
【発明の詳細な説明】
【０００１】
【発明の属する技術分野】
本発明は、糸巻収納ケース及び糸巻収納体に関し、詳しくは、内周部に複数のリブが設けられた筒状胴部の外周面に糸が巻回された糸巻を収納する糸巻収納ケース、及び、この糸巻収納ケースに当該糸巻が収納された糸巻収納体に関する。
【０００２】
【従来の技術】
通常、釣り糸等の長尺糸は、筒状胴部を有する円形のスプール等の糸巻に巻回された形態でケースに収納され、市場に提供される。このような糸巻を取り扱う際には、糸巻がその円形状ゆえにケース内で回転してしまうことがあるが、こうなると、糸巻に貼付されたラベルの文字や図柄の視認方向が不揃いとなってしまい不都合である。
【０００３】
従来、このようなケース内での糸巻の回転を防止するには、糸巻をケースに接着したり、糸巻を収納したときに生じるケース内の空間部を埋めるスペーサーを用いたり、或いは、ケースに回転止め機能を持たせる等の方法が取られていた。これらのなかで、ケースに回転止め機能を持たせたものとしては、例えば、登録実用新案第３０４００１９号公報、特開平１０−３１６１８７号公報等に記載のものが挙げられる。前者の糸巻収納用ケースは、ケースの横内蓋の一部を糸巻に設けられた糸の係止用切り込みに差し込むことにより、糸巻の回転を防止するものである。また、後者の釣り糸用カートンは、カートンの側壁に設けられた突起片を、糸巻に設けられた切り込みに嵌め込むようになっている。
【０００４】
【発明が解決しようとする課題】
しかし、糸巻をケースに接着する方法では、接着が強固なほど糸巻の回転が防止されるものの、そうなると糸巻をケースから取り出し難く、且つ、再接着が困難になるといった課題があった。一方、スペーサー部材を用いると、部品点数が増大するといった問題があった。他方、糸巻に設けられた切り込みにケースの一部を差し込んだり又は嵌め込むものでは、切り込み部分が小さく又は狭隘であり、ケースの一部を差し込み難い。よって、糸巻をケースに収納して固定する作業が煩雑で手間が掛かる傾向にある。
【０００５】
そこで、本発明は、このような事情に鑑みてなされたものであり、糸巻のケース内における回転を十分に防止できると共に、糸巻の収納及び取り出しが簡易であり、糸巻を位置決めし易く、且つ、部品点数の増大を抑えることが可能な糸巻収納ケース及び糸巻収納体を提供することを目的とする。
【０００６】
【課題を解決するための手段】
上記課題を解決するために、本発明者らは鋭意研究を重ね、筒状胴部の外周面に糸が巻回された糸巻において、その内周部に主として補強のために設けられたリブを利用して、糸巻のケース内における移動を抑制できることを見出し、本発明に到達した。すなわち本発明の糸巻収納ケースは、内周部に複数のリブが設けられた筒状胴部の外周面に糸が巻回された糸巻を収納するものであって、複数のリブのうち隣り合う二つのリブ間に位置することが可能であり、これら二つのリブの各長手方向と交差する方向に配置されるように設けられ、且つ、当該ケース内における移動が制限された糸巻止定部を備えることを特徴とする。
【０００７】
このように構成された糸巻収納ケースに複数のリブを有する上記糸巻が収納されると、隣り合うリブ間に、それらの各長手方向と交差する方向に糸巻止定部が配置される。これにより、ケース内で糸巻が回転する方向に力が作用しても、いずれか一方のリブが糸巻止定部に当接し、糸巻止定部自体は動かないので、糸巻は時計回り又は反時計回りのいずれの方向への回転も制限される。糸巻止定部が両方のリブに実質的に当接するような形状であれば、糸巻の僅かな回転もほぼ完全に防止され得る。
【０００８】
また、糸巻止定部は、糸巻が収納されたときに該糸巻の側面部に対向する側に一端部が結合され、他端部が前記隣り合う二つのリブ間に挿入又は挿嵌可能な自由端とされていると好ましい。こうすれば、糸巻止定部が確実に固定されると共に、リブ間へ糸巻止定部を挿入し易く、引き抜き易い。
【０００９】
さらに、本発明の糸巻収納ケースは、糸巻が収納されたときにこの糸巻の側面部に対向する二つの側壁と、これら二つの側壁を結合する二つの側板を有しており、それら二つの側壁のうち少なくともいずれか一方の側壁の端部に、蓋板、及び、糸巻止定部の一端部が結合された差込片が連接されたものであると好適である。このような構成においては、二つの側壁と二つの側板で略角柱体が形成される。この略角柱体の開放端には、糸巻止定部及び差込片がその順に挿入され、開放端が蓋板で閉止される。これにより、糸巻止定部は糸巻収納ケースの内部に位置し且つ固定される。なお、糸巻止定部の形状としては、収納される糸巻に設けられた隣り合うリブ間に配置可能な所定の形状が適宜選択され得る。
【００１０】
加えて、本発明の糸巻収納ケースは、より好ましくは、糸巻止定部が一端部から他端部に向かって幅が狭くなるように設けられたものである。こうすれば、糸巻止定部を糸巻のリブ間に一層挿入し易く、一層引き抜き易くなる。
【００１１】
また、本発明の糸巻収納体は、本発明による糸巻収納ケースに、内周部に複数のリブを有する筒状胴部の外周面に糸が巻回された糸巻が収納されて成り、糸巻収納ケースの糸巻止定部が複数のリブのうち隣り合う二つのリブ間に挿入又は挿嵌されたものである。さらに、本発明の糸巻収納体は、特に釣糸が巻回されたスプールを糸巻とするものである。
【００１２】
【発明の実施の形態】
以下、添付図を参照して本発明の実施形態について説明する。なお、同一の要素には同一の符号を付し、重複する説明を省略する。また、上下左右等の位置関係については、特に規定しない限り、図面の上下左右等の位置関係に基づくものとする。
【００１３】
図１は、本発明による糸巻収納ケースの好適な実施形態を示す展開図である。また、図２は、本発明による糸巻収納ケースの好適な実施形態を示す斜視図である。図示の如く、スプール収納ケース１は、各構成部位が一体的に形成された直方体形状を成すものである。つまり、二つの側壁１１，１２が二つの側板１３，１４を介して結合されており、側壁１１から側板１３を介して延設された接合しろ４３に側壁１２の一端が接合されて略角柱体が形成される。
【００１４】
この略角柱体の一方の開放端においては、側板１３，１４の長手方向の一端にそれぞれ延設された横内蓋２３，２４が内側に折り返され、更に差込片２５が略角柱体の内部に挿入され、その開放端が蓋板１５で閉止される。同様に、他方の開放端においては、側板１３，１４の他端にそれぞれ延設された横内蓋３３，３４が内側に折り返され、差込片２６が略角柱体の内部に挿入され、その開放端が蓋板１６で閉止される。
【００１５】
この差込片２６の一端部には、略台形状の止定部１０が差込片２６と一体的に設けられている。そして、図２に示す如く、スプール収納ケース１の開放端が蓋板１６で閉じられた状態において、止定部１０は蓋板１６と略平行となるようにスプール収納ケース１の内部に突設するように折り曲げられている。すなわち、止定部１０は、その台形状の下底部（一端部）が差込片２６に固定されており、スプール収納ケース１内での移動が制限されると共に、上底部（他端部）が自由端となっている。
【００１６】
また、スプール収納ケース１は、樹脂、紙等の材料で形成されており、加工容易性、耐久性等の観点から樹脂製であると好適であり、さらに、収納物の視認性の点で、透明樹脂で形成されるとより好ましい。そして、スプール収納ケース１は、例えば、図１に示す一枚の展開形状に加工され、各構成部の境界部に折返し予定線が設けられた後、接合しろ４３に側壁１２を接合することにより略角柱体に組み立てられる。次に、開放端のいずれか一方を閉じ（図２参照）、又は、閉じない状態で糸巻を内部に挿入した後、開放端を閉じ、糸巻を収納した製品が完成される。
【００１７】
このスプール収納ケース１に収納される糸巻としては、例えば、図３に示すものが挙げられる。図３は、本発明の糸巻収納ケースに収納される糸巻の一例を示す斜視図である。スプール６（糸巻）は、筒状を成す胴部６１（筒状胴部）の両端部にそれぞれ前面側フランジ６２及び後面側フランジ６３が結合されたものであり、胴部６１の外周面６１ａに糸としての釣糸７が巻回されるようになっている。前面側フランジ６２は略円板状とされており、前面側フランジ６２と胴部６１とで、胴部６１の内周部に凹部６６が形成されている。この前面側フランジ６２の外表面６２ａ、すなわち胴部６１と連結している面の反対面には、文字や図柄が表されたラベルを貼付できるようになっている。一方、後面側フランジ６３は、所定の幅を有するリング状とされている。
【００１８】
また、胴部６１の内周部つまり凹部６６には、胴部６１と同軸状に環状凸部６０が設けられている。この環状凸部６０の一方端は、前面側フランジ６２の裏面６２ｂに結合されている。さらに、この環状凸部６０の外周面、胴部６１の内周面６１ｂ及び前面側フランジ６２の裏面６２ｂに結合された複数のリブ６４が、凹部６６に収容されるように放射状に配設されており、これらのリブ６４により胴部６１の機械的強度が高められている。
【００１９】
図４は、本発明による糸巻収納ケースの好適な実施形態に糸巻を収納した状態を示す斜視図であり、図５は、本発明による糸巻収納ケースの好適な実施形態に糸巻を収納した状態を模式的に示す概略側面図であって、それぞれ、図２に示すスプール収納ケース１に図３のスプール６を収納した状態を示すものである。なお、図４においては、釣糸７の図示を省略した。
【００２０】
この場合、まず、スプール６を、前面側フランジ６２及び後面側フランジ６３（つまりスプール６の両側面部）がそれぞれスプール収納ケース１の側壁１１及び１２と対向するように、蓋板１５側の開放端から挿入する。スプール６が挿入されていくと、後面側フランジ６３がスプール収納ケース１内に突設する止定部１０に当接する。このとき、スプール収納ケース１が樹脂等で形成されて適度の柔軟性を有する厚さであれば、止定部１０は適度に折れ曲がり又は湾曲し、スプール６の挿入は阻害されない。
【００２１】
そして、リブ６４が設けられた部位が止定部１０と対向する位置までスプール６が挿入されると、隣り合うリブ６４間に止定部１０を挿嵌させることができる。すなわち、図４及び５に示すように、止定部１０は、スプール６の内部に放射状に設けられたリブ６４のうち隣り合う二つのリブ６４の各長手方向と交差する方向に配置される。こうしてスプール６全体をスプール収納ケース１に収納し、横内蓋２３，２４を内側に折り曲げ、差込片２５をスプール収納ケース１の内部に差し込んで蓋板１５で開放端を閉止すると、図４及び５に示す状態となる。ここで、止定部１０が適度の弾性を有していると、リブ６４間への挿入がより容易となるので好ましい。また、その弾性により止定部１０がリブ６４間から脱抜され易くなり、差込片２５又は差込片２６を開放してスプール６をスプール収納ケース１から取り出し易くなる。
【００２２】
このように構成されたスプール収納ケース１によれば、スプール収納ケース１内でスプール６が回転する方向に力が作用しても、止定部１０の両側に位置するリブ６４のいずれか一方が止定部１０の側端部に当接する。上述の如く、止定部１０は、その一端部が差込片２６に結合されて固定されているので、スプール６は時計回り及び反時計回りのいずれの方向へも回転しない。また、止定部１０が隣り合う二つのリブ６４の両方に当接していれば、より確実にスプール６の回転を抑えることができる。
【００２３】
よって、スプール６をスプール収納ケース１に接着することなく、スプール収納ケース１内の空間部を埋めることなく、且つ、従来のようなスプール６に設けられた小さく又は狭隘な切り込みにケースの一部を差し込むことなく、スプール６の回転を確実に防止できるので、スプール６をスプール収納ケース１へ収納し易く且つスプール収納ケース１から取り出し易く、スプール６の位置決めが容易であり、且つ、部品点数の増大を抑制できる。そして、スプール６の前面側フランジ６２に文字や図柄が表されたラベル等が貼付されている場合に、そのラベルの文字や図柄の視認方向が不揃いとなるおそれがない。
【００２４】
また、止定部１０が台形状であり、その上底部がスプール６のリブ６４間へ挿入されるので、止定部１０をリブ６４間に円滑に挿嵌できるとともにリブ間６４から引き抜き易い。さらに、止定部１０の一端部（台形状の下底部）が固定され、他端部（同上底部）が自由端とされているので、止定部１０がスプール収納ケース１内で移動することが確実に防止され、且つ、リブ６４間への挿入容易性が更に高められる。
【００２５】
次に、図６は、本発明による糸巻収納ケースの他の実施形態を示す展開図である。図６に示すスプール収納ケース５は、差込片２６に止定部１０が連接されておらず、且つ、側壁１２の内面となる側に止定部５０が接合されたこと以外は、図１に示すスプール収納ケース１と同様に構成されている。止定部５０は、図示の如く折り曲げられた状態で台形状を成す凸片部５１と接合しろ５２，５３が一体的に形成されたものである。
【００２６】
このような構成のスプール収納ケース５においては、側壁１２が側板１３に連接された接合しろ４３に接合されると、止定部５０がスプール収納ケース５の内部に位置する。この状態で、例えばスプール６が収納されると、止定部５０の凸片部５１がスプール６に設けられた隣り合うリブ６４間に挿着される。よって、スプール収納ケース１内のスプール６の回転が十分に防止される。また、止定部５０が、凸片部５１の両側で接合により固定されているので、側壁１２から突設された状態の保持性が高められ、凸片部５１を一層確実にリブ６４間へ挿嵌できる。
【００２７】
次に、図７は、本発明による糸巻収納体の好適な実施形態を示す斜視図である。なお、図７においては、釣糸７の図示を省略した。図７に示すスプール収納体９０（糸巻収納体）は、スプール収納ケース８にスプール６を収納したものである。このスプール収納ケース８は、透明樹脂で形成され、且つ、図１に示すスプール収納ケース１の側壁１２の上部に、孔部２２ａを有するパネル部２２が側壁１２と一体的に設けられたものである。このスプール収納体９０は、パネル部２２の孔部２２ａが、例えば、棒状部材に掛止されて保管、陳列等が行われる。そして、スプール収納ケース８の止定部１０により、収納されたスプール６の回転が抑止されるので、保管や陳列時等に前面に貼付されたラベルの不揃いがなく、ラベルの視認性を良好に維持できる。
【００２８】
次に、図８は、スプール収納ケース１，８の止定部１０を示す平面図であり、図９は、スプール６における隣り合う二つのリブ６４を含む部位を示す平面図である。止定部１０の幅ｄ（図８参照）は、隣り合うリブ６４の対向面間の距離Ｄ（図９参照）と同程度又は距離Ｄよりもやや大きいと好ましい。特に、幅ｄが距離Ｄよりも大きいと、スプール６の回転を確実に、しかも僅かな回転をも抑止できる。また、止定部１０の自由端の幅ｄmin（図８参照）がリブ２４間の距離Ｄmax（図９参照）よりも小さいと、止定部１０をリブ２４間に挿入し易く且つリブ２４間から脱抜し易くなる。さらに止定部１０の固定端の幅ｄmax（図８参照）がリブ６４間の距離Ｄより小さくとも、止定部１０が両リブ６４の各長手方向に交差する方向に延在して配置される形状であればよい。
【００２９】
なお、スプール収納ケース１の蓋板１６側を開けた状態で、スプール６全体をスプール収納ケース１に挿入してから、横内蓋３３，３４を折り曲げ、止定部１０及び差込片２６を差し込むことにより、止定部１０をスプール６のリブ６４間に挿嵌してもよい。また、スプール６のリブ６４の配置は、特に限定されないが、少なくとも二つのリブ６４が対面して隣設されると好ましい。さらに、リブ６４の形状についても特に制限されず、四辺形状以外に三つ以上の辺を有する形状、例えば、図１０に示すような５辺形状であってもよく、面内にスリット又は孔部を有していても構わない。
【００３０】
さらに、止定部１０の形状は台形状に限られるものではなく、隣り合うリブ６４間に挿入又は挿嵌可能な形状であればよい。またさらに、差込片２５を差込片２６と同等形状として、差込片２５の先端に止定部１０を連接又は延設してもよい。さらにまた、スプール収納ケース１，５にパネル部２２を設けてもよく、一方、スプール収納体９０に備わるスプール収納ケース８にパネル部２２は必ずしも必要ない。
【００３１】
また、止定部１０のリブ６４間への配置状態は、図７に示す状態に限定されるものではない。図１１（ａ）〜（ｈ）は、リブ６４間に配置された止定部１０の他の状態の例を示す模式図である。止定部１０は、図１１（ａ）〜（ｅ）に示すように湾曲された状態で配置されてもよく、その湾曲の度合（又は曲率）、湾曲の方向、変曲点の数及び位置等は特に制限されない。さらに、図１１（ｆ）及び（ｇ）に示すように、斜め又は傾いた状態で配置されてもよい。またさらに、図１１（ｈ）に示すように止定部１０を複数設けてもよく、これらが湾曲された状態で配置されても構わない。このように、本発明において、「二つのリブの各長手方向と交差する方向に配置」された状態とは、図７及び図１１（ａ）〜（ｈ）に示す止定部１０の配置状態を含む。加えて、止定部１０は湾屈された状態でリブ６４間に配置されてもよい。
【００３２】
【発明の効果】
以上述べたように、本発明の糸巻収納ケース及び糸巻収納体によれば、糸巻止定部が糸巻に設けられた隣り合うリブ間に挿入又は挿嵌されることにより、糸巻収納ケース内における糸巻の回転が防止される。したがって、糸巻に貼付されたラベルの文字や図柄の視認方向が不揃いとなってしまうおそれがない。そして、このように、糸巻を糸巻収納ケースに接着することなく、糸巻収納ケース内の空間部を埋めることなく、且つ、従来のようなスプール６に設けられた小さく又は狭隘な切り込みにケースの一部を差し込むことなく、糸巻の回転を確実に防止できるので、糸巻を糸巻収納ケースへ収納し易く且つ糸巻収納ケースから取り出し易く、糸巻の位置決めが容易であり、且つ、部品点数の増大を抑制できる。
【図面の簡単な説明】
【図１】本発明による糸巻収納ケースの好適な実施形態を示す展開図である。
【図２】本発明による糸巻収納ケースの好適な実施形態を示す斜視図である。
【図３】本発明の糸巻収納ケースに収納される糸巻の一例を示す斜視図である。
【図４】本発明による糸巻収納ケースの好適な実施形態に糸巻を収納した状態を示す斜視図である。
【図５】本発明による糸巻収納ケースの好適な実施形態に糸巻を収納した状態を模式的に示す概略側面図である。
【図６】本発明による糸巻収納ケースの他の実施形態を示す展開図である。
【図７】本発明による糸巻収納体の好適な実施形態を示す斜視図である。
【図８】本発明によるスプール収納ケース（糸巻収納ケース）の止定部（糸巻止定部）を示す平面図である。
【図９】スプール（糸巻）における隣り合う二つのリブを含む部位を示す平面図である。
【図１０】他の形状を有するリブを備えるスプール（糸巻）を示す斜視図である。
【図１１】（ａ）〜（ｈ）は、リブ６４間に配置された止定部１０の他の状態の例を示す模式図である。
【符号の説明】
１，５，８…スプール収納ケース（糸巻収納ケース）、６…スプール（糸巻）、７…釣糸（糸）、１０，５０…止定部（糸巻止定部）、１１，１２…側壁、１３，１４…側板、１５，１６…蓋板、２２…パネル部、２３，２４，３３，３４…横内蓋、２５，２６…差込片、５１…凸片部、６０…環状凸部、６１…胴部（筒状胴部）、６１ａ…胴部の外周面、６１ｂ…胴部の内周面、６２…前面側フランジ、６２ａ…前面側フランジの外表面、６２ｂ…前面側フランジの裏面、６３…後面側フランジ、６４…リブ、６６…凹部、９０…スプール収納体（糸巻収納体）。
【図１】
0003646040.tif 000002
【図２】
0003646040.tif 000003
【図３】
0003646040.tif 000004
【図４】
0003646040.tif 000005
【図５】
0003646040.tif 000006
【図６】
0003646040.tif 000007
【図７】
0003646040.tif 000008
【図８】
0003646040.tif 000009
【図９】
0003646040.tif 000010
【図１０】
0003646040.tif 000011
【図１１】
0003646040.tif 000012